(57)【要約】【課題】  応答性の高いオートアイリス制御を行いたい場合、応答性の高いリモートアイリス制御の指令を用いて、カメラがオートアイリス制御と同等の制御を行おうとしても、アイリス補正により、制御指令位置と駆動返信値に乖離が発生し、正しく制御が行えない。【解決手段】  レンズ装置は、光路に挿抜可能な光学系と、絞りと、前記絞りの開口量を変更する駆動手段と、前記光学系の挿抜によるレンズ系全体の明るさの変化を補正するように前記駆動部によって前記可変絞りの開口量を変更するアイリス補正機能を制御する制御部と、外部のアイリス制御の指令元と情報を通信する通信部と、前記情報に基づき、前記アイリス補正機能の有効／無効を切替える切替部と、を有することを特徴とする。【選択図】  図１
2017120291.tif 000002
【特許請求の範囲】
【請求項１】
光路に挿抜可能な光学系と、
絞りと、
前記絞りの開口量を変更する駆動部と、
前記光学系の挿抜によるレンズ系全体の明るさの変化を補正するように前記駆動部によって前記可変絞りの開口量を変更するアイリス補正機能を制御する制御部と、
外部のアイリス制御の指令元と情報を通信する通信部と、
前記情報に基づき、前記アイリス補正機能の有効／無効を切替える切替部と、
を有することを特徴とするレンズ装置。
【請求項２】
前記アイリス補正機能の有効／無効を設定する設定部を有し、
前記アイリス制御の指令元からの情報は、前記設定部による前記アイリス補正機能の設定を有効とするか、前記アイリス補正機能を無効とするかの情報であり、
前記切替部は、前記アイリス制御の指令元からの情報が前記アイリス補正機能を無効とする情報の場合、前記設定部で設定されている前記アイリス補正の有効／無効の設定に関わらず前記アイリス補正を無効とし、前記アイリス制御の指令元からの情報が前記アイリス補正の設定を有効とする情報の場合、前記設定部で設定されている前記アイリス補正の有効／無効の状態に基づき、前記アイリス補正の有効／無効を切替える、
ことを特徴とする請求項１に記載のレンズ装置。
【請求項３】
前記外部のアイリス制御の指令元は前記レンズ装置が接続されるカメラ装置であり、
前記切替部は、前記指令元からの情報がオートアイリス制御の指令である場合は前記アイリス補正を無効とし、前記情報がリモートアイリス制御の指令であり、かつ、前記情報が前記設定部による前記アイリス補正の設定を有効とする情報である場合は前記設定部で設定されている前記アイリス補正の有効／無効の状態に基づき前記アイリス補正の有効／無効を切替える、
ことを特徴とする請求項２に記載のレンズ装置。
【請求項４】
前記外部のアイリス制御の指令元は前記レンズ装置が接続されるカメラ装置であり、
前記アイリス制御の指令元からの情報が、オートアイリス制御の指令であるか、リモートアイリス制御の指令であるか、に基づき、前記駆動部の応答性を変更するゲイン設定部を有する、
ことを特徴とする請求項２又は３に記載のレンズ装置。
【請求項５】
前記ゲイン設定部は、前記情報が前記オートアイリス制御の指令である場合は、前記駆動部を制御するゲインを第１のゲインとし、前記情報が前記リモートアイリス制御の指令である場合は、第１のゲインより大きい第２のゲインとすることを特徴とする請求項４に記載のレンズ装置。
【請求項６】
前記制御部は、前記アイリス補正機能が有効である状態において前記通信部より前記絞りのクローズに相当する指令を取得した場合は、前記アイリス補正機能を無効として前記可変絞りをクローズする、ことを特徴とする請求項１乃至５のいずれか１項に記載のレンズ装置。
【請求項７】
前記通信部は前記切替部を有する前記レンズ装置であることを前記指令元に出力する、ことを特徴とする請求項１乃至６のいずれか１項に記載のレンズ装置。
【請求項８】
前記通信部は前記アイリス補正機能を有効としてよいかを否かを問い合わせる信号を前記指令元に出力する、ことを特徴とする請求項１乃至７のいずれか１項に記載のレンズ装置。
【請求項９】
請求項１乃至８のいずれか１項に記載のレンズ装置と、該レンズ装置によって形成された光学像を受光する撮像素子とを含むことを特徴とする撮像装置。
【発明の詳細な説明】
【技術分野】
【０００１】
本発明は、レンズ装置に関し、特にレンズ装置のアイリス制御の制御方法の切換えを行うレンズ装置及びそれを有する撮像装置に関するものである。
【背景技術】
【０００２】
一般に、撮影、特にテレビ撮影等に用いられる撮像装置において、アイリスの電動操作でレンズ系全体の明るさを調整する方法として、リモートアイリス制御（遠隔手動操作による制御）とオートアイリス制御（自動制御）がある。
【０００３】
リモートアイリス制御は、ユーザ自身がカメラ装置若しくはコントローラーでアイリス値を設定し、ユーザが設定したアイリス値になるようにアイリスの制御信号を生成する方法である。オートアイリス制御は、被写体の明るさが一定になるように、基準となる明るさの信号と現在の像信号を比較し、得られた差分信号を基にアイリスの制御信号を生成し、自動でアイリスを制御する方法である。
【０００４】
レンズ装置がリモートアイリス制御の指令を受信した場合、ユーザのアイリス値設定操作への高い応答性を実現するため、レンズ装置はアイリスの調整ゲインを高く設定する。また、オートアイリス制御の指令を受信した場合、ハンチング等起こさず滑らかに明るさを自動調整するため、レンズ装置はアイリスの調整ゲインを低く設定する。
【０００５】
例えば特許文献１では、カメラ装置のオート／リモート選択スイッチから、リモートアイリスに設定した場合、アイリスアンプのゲインは高い方の値に設定、オートアイリスに設定した場合、ゲインは低い方の値に設定される技術が開示されている。
【０００６】
また、従来、レンズ系の一部にエクステンダーを内蔵し、このエクステンダーを挿脱させて全系の焦点距離を変化させる方法がある。エクステンダーを挿入した場合、挿入する前に比べレンズ系全体の明るさが低下するため、カメラ装置からのアイリス指令位置や、カメラ装置へのアイリス駆動返信値が同じにも関わらず、エクステンダー挿入前後でレンズ系全体の明るさが異なってしまう。この明るさの低下分を、アイリスを制御することによって補正することで、エクステンダー挿入前後でもレンズ系全体の明るさを同じにする、レンズ装置のアイリス補正技術がある。
【０００７】
特許文献２では、エクステンダー挿入による明るさの低下分、即ちＦ値の補正分だけ絞り値の動作範囲が狭くなるのを防ぐため、カメラ装置がリモートアイリス制御の場合にレンズ装置は補正を行い、オートアイリス制御の場合にレンズ装置は補正を無効とする技術が開示されている。
【先行技術文献】
【特許文献】
【０００８】
【特許文献１】特許第４０８８９４３号公報
【特許文献２】特公平８−３３５６６号公報
【発明の概要】
【発明が解決しようとする課題】
【０００９】
しかしながら、上述の特許文献１に開示された従来技術では、カメラ装置からオートアイリス制御の指令を受信した場合、レンズ装置はアイリスの調整ゲインを低く設定するため、応答性の高いオートアイリス制御を実現することはできない。
【００１０】
また、応答性の高いリモートアイリス制御の指令を用い、カメラ装置がオートアイリス制御と同等の制御を行おうとしても、特許文献２に開示された従来技術より、アイリス補正が有効となり、アイリス制御指令位置とアイリス駆動返信値に補正分の乖離が発生する。この補正分の乖離により、カメラ装置はアイリス制御指令位置に駆動できていないと誤認識してしまい、正しくアイリス制御が行えなくなる。このため、上記方法でも応答性の高いオートアイリス制御を実現することはできない。
【００１１】
そこで、本発明の目的は、アイリス制御指令に対するアイリス補正の有効／無効をカメラ装置から切替えることで、応答性の高いオートアイリス制御を可能とした撮像装置を提供することである。
【課題を解決するための手段】
【００１２】
上記目的を達成するために、本発明のレンズ装置は、光路に挿抜可能な光学系と、絞りと、前記絞りの開口量を変更する駆動部と、前記光学系の挿抜によるレンズ系全体の明るさの変化を補正するように前記駆動部によって前記可変絞りの開口量を変更するアイリス補正機能を制御する制御部と、外部のアイリス制御の指令元と情報を通信する通信部と、前記情報に基づき、前記アイリス補正機能の有効／無効を切替える切替部と、を有することを特徴とする。
【発明の効果】
【００１３】
本発明によれば、アイリス補正の有効／無効をカメラ装置から切替えることで、応答性の高いオートアイリス制御を可能とした撮像装置を提供することができる。
【図面の簡単な説明】
【００１４】
【図１】実施例１における撮像装置のブロック図である。
【図２】実施例１におけるレンズ装置のアイリス制御信号を生成するまでの処理を示すフローチャート図である。
【図３】実施例１におけるアイリス駆動部１０５の処理を示すフローチャート図である。
【発明を実施するための形態】
【００１５】
以下に、本発明の好ましい実施形態を、添付の図面に基づいて詳細に説明する。図１は、本発明の実施形態にかかわる構成ブロック図である。
【実施例１】
【００１６】
以下、図１〜３を参照して、本発明の第１の実施例による、レンズ装置について説明する。図１は、本発明の実施例における撮像装置のブロック図である。図１において、１００はレンズ装置、２００はレンズ装置１００に、外部の装置として接続されるカメラ装置である。レンズ装置１００と、該レンズ装置により形成される光学像を受光する撮像素子を有するカメラ装置２００により、本発明のレンズ装置の効果を享受する撮像装置を構成する。
【００１７】
まず、レンズ装置１００について説明する。
【００１８】
レンズ装置１００には、通信部１０１、アイリスゲイン設定部（ゲイン設定部）１０２、アイリス補正機能設定部（設定部）１０３、アイリス補正切替部（切替部）１０４、アイリス駆動部（駆動部）１０５が構成されている。
【００１９】
なお、アイリス補正とは、エクステンダーやフィルタ等の光路へ挿抜可能な光学系を光路へ挿抜することによる前記光学系の挿抜前後でのレンズ系全体の明るさの変化を、アイリス（可変絞り）の開口量を変化させて抑制するようにアイリス駆動部を制御する技術である。
【００２０】
通信部１０１は、カメラ装置２００と通信を行い、カメラ装置２００から入力されたアイリス制御の種類、アイリス補正機能のアイリス補正機能禁止許可情報を取得する。また、取得したカメラ装置のアイリス制御の種類をアイリスゲイン設定部１０２に出力し、アイリス制御の種類、及びアイリス補正機能禁止許可情報をアイリス補正切替部１０４に出力する。
【００２１】
アイリスゲイン設定部１０２は、通信部１０１から取得したカメラ装置２００のアイリス制御の種類に従い、アイリスの調整ゲインを設定し、アイリス駆動部１０５に出力する。
【００２２】
アイリス補正機能設定部１０３は、不図示のアイリス補正設定操作部材に基づき、アイリス補正を有効とするか無効とするかのアイリス補正機能設定情報を生成し、アイリス補正切替部１０４に出力する。
【００２３】
アイリス補正切替部１０４は、アイリス補正機能設定部１０３から取得したレンズ装置のアイリス補正機能設定情報及び、通信部１０１から取得したアイリス制御の種類、及びアイリス補正機能禁止許可情報に従い、アイリス補正の有効／無効を切替える。また、アイリス補正の有効／無効からなるアイリス補正の実行情報をアイリス駆動部１０５に出力する。
【００２４】
アイリス駆動部１０５は、アイリスゲイン設定部１０２から入力された調整ゲイン及び、アイリス補正切替部１０４から入力されたアイリス補正の実行情報に基づいて、アイリスの制御信号を生成し、生成したアイリスの制御信号に従い不図示のレンズを駆動する。
【００２５】
このように、アイリス補正機能設定部１０３、アイリス補正切替部１０４、アイリス駆動部１０５によって、アイリス補正機能を実現するための制御部を構成する。
【００２６】
アイリス制御の種類に対する調整ゲイン、及び、アイリス補正機能禁止許可情報に対するアイリス補正の有効／無効の切替えの詳細については後に説明する。
【００２７】
このように構成することで、カメラ装置２００の制御の種類（オートアイリス制御またはリモートアイリス制御）を、アイリスゲイン設定部１０２にて認識することが可能となり、認識結果に基づいてアイリスを制御する際の調整ゲインを変更する事が可能となる。
【００２８】
また、カメラ装置２００のアイリス補正機能禁止許可情報を、アイリス補正切替部１０４にて認識することが可能となり、アイリス補正機能設定部１０３で設定されているアイリス補正機能設定状態を、制御に反映する事を許可するか否かを切替える事が可能となる。
【００２９】
ゆえに、カメラ装置２００からアイリス補正機能を無効とすることが可能となる。
【００３０】
レンズ装置１００の通信部１０１と、カメラ装置２００の不図示の通信部を接続することにより、次のような処理が可能となる。
【００３１】
以下、図２のフローチャートを参照して、第１の実施例におけるレンズ装置１００のアイリス調整ゲイン及びアイリス補正機能の有効／無効を切替えるアイリス制御の切替処理について説明する。この処理は、レンズ装置１００に格納されたコンピュータプログラムに従って行われる。
【００３２】
ステップＳ２０１では、アイリスゲイン設定部１０２にて、カメラ装置２００のアイリス制御の種類を認識し判断する。例えば、カメラ装置２００からオートアイリス制御の指令を受信した場合はオートアイリス制御、リモートアイリス制御の指令を受信した場合はリモートアイリス制御と、カメラ装置２００のアイリス制御の種類を判断する。リモートアイリス制御と判断した場合、ステップＳ２０２に進み、オートアイリス制御と判断した場合、ステップＳ２０３に進む。
【００３３】
ステップＳ２０２では、アイリスゲイン設定部１０２にて、アイリスを制御する際の調整ゲインを、レンズ装置１００が所持するオートアイリス制御用の調整ゲインに設定し、ステップＳ２０４に進む。
【００３４】
ステップＳ２０３では、アイリスゲイン設定部１０２にて、アイリスを制御する際の調整ゲインを、レンズ装置１００が所持するリモートアイリス制御用の調整ゲインに設定し、ステップＳ２０７に進む。なお、オートアイリス制御用の調整ゲインは、リモートアイリス制御用の調整ゲインよりも低い値である。
【００３５】
ステップＳ２０４では、アイリス補正機能設定部１０３で設定されているアイリス補正機能設定状態を、アイリスの制御に反映する事をカメラ装置２００が許可しているか否かを、アイリス補正切替部１０４にて判断する。通信部１０１から入力されたアイリス補正機能禁止許可情報より、カメラ装置２００が許可していると判断した場合、ステップＳ２０５に進み、禁止していると判断した場合、ステップＳ２０７に進む。
【００３６】
ステップＳ２０５では、アイリス補正機能設定部１０３で設定されているアイリス補正機能の状態が、アイリス補正を有効とするか無効とするかのどちらの状態にあるかを、アイリス補正機能設定情報より、アイリス補正切替部１０４にて判断する。アイリス補正を有効とするに設定されていると判断した場合、ステップＳ２０６に進み、アイリス補正を無効とするに設定されていると判断した場合、ステップＳ２０７に進む。
【００３７】
ステップＳ２０６では、アイリス補正切替部１０４にて、アイリス補正を有効と設定し、ステップＳ２０８に進む。
【００３８】
ステップＳ２０７では、アイリス補正切替部１０４にて、アイリス補正を無効と設定し、ステップＳ２０８に進む。
【００３９】
ステップＳ２０８では、アイリスゲイン設定部１０２で設定した調整ゲイン及び、アイリス補正切替部１０４のアイリス補正の設定を踏まえ、アイリス駆動部１０５にて、アイリス制御信号を生成し終了する。
【００４０】
以上のように構成することで、カメラ装置２００のアイリス制御の種類とアイリス補正機能禁止許可情報によって、調整ゲインとアイリス補正の有効／無効を切替える事が可能となり、カメラ装置２００からアイリス制御に関する設定が可能となる。
【００４１】
次に、図３のフローチャートを参照して、アイリス制御信号を生成するアイリス駆動部１０５の処理について説明する。この処理は、レンズ装置１００に格納されたコンピュータプログラムに従って行われる。
【００４２】
ステップＳ３０１では、アイリスゲイン設定部１０２で設定した調整ゲインを認識する。リモートアイリス制御用の高い調整ゲインが設定されている場合はステップＳ３０２に進み、オートアイリス制御用の低い調整ゲインが設定されている場合はステップＳ３０５に進む。
【００４３】
ステップＳ３０２では、アイリス補正切替部１０４のアイリス補正の設定を認識する。認識結果より、アイリス補正が有効と認識した場合はステップＳ３０３に進み、アイリス補正が無効と認識した場合はステップＳ３０４に進む。
【００４４】
ステップＳ３０３では、アイリス補正が有効で、応答性の高い（高ゲインの）アイリス制御信号を生成し処理を終了する。
【００４５】
ステップＳ３０４では、アイリス補正が無効で、応答性の高い（高ゲインの）アイリス制御信号を生成し処理を終了する。
【００４６】
ステップＳ３０５では、アイリス補正が無効で、応答性の低い（低ゲインの）アイリス制御信号を生成し処理を終了する。
【００４７】
以上より、ユーザがカメラ装置２００で設定したアイリス制御の種類と、アイリス補正機能を禁止するか許可するかの設定によって、ステップＳ３０３〜ステップＳ３０５の３種類の異なるアイリス制御信号を生成することが可能となる。
【００４８】
このような処理により、カメラ装置２００が応答性の高いリモートアイリス制御の指令を用いた場合でも、アイリス補正を無効とすることができる。ゆえに、リモートアイリス制御の指令を用いてオートアイリス制御と同等の制御をカメラ装置２００が行う場合でも、補正分の乖離が発生する事はなくなるため、正しいオートアイリス制御が可能となる。
【００４９】
本実施例によれば、応答性の高いリモートアイリス制御の指令を用いた場合でも、アイリス補正を無効とすることが可能となり、カメラ装置２００はオートアイリス制御が行えるので、応答性の高いオートアイリス制御を可能とした撮像装置を提供することができる。
【００５０】
また、アイリス補正機能禁止許可情報は、アイリス補正機能設定状態をアイリスの制御に反映する事を、カメラ装置２００が許可しているか否かの情報と記述したが、アイリス補正機能の設定状態に関わらず、アイリス補正を有効／無効とする情報でもよい。
【００５１】
また、カメラ装置２００に対し、本実施例の機能がレンズ装置１００に構成されているか否かの情報を公開することで、アイリス補正を許可するか禁止するかを設定することが可能であるか否かを、カメラ装置２００側で認識することができる。これにより、カメラ装置２００の操作とレンズ装置１００の駆動において不一致を防ぐことも可能となる。
【００５２】
また、アイリス補正が有効となるレンズ装置１００の状態の場合、アイリス補正を有効としてよいかをカメラ装置２００に問い合わせることにより、ユーザのアイリス補正の設定忘れを防ぐことも可能となる。
【００５３】
また、アイリス補正有効時において、レンズ装置１００がアイリスのクローズ相当の指令を取得した場合、アイリス補正機能を使用することなく、強制的にクローズさせる機能をカメラ装置２００からも設定できるようにすることで、クローズしない現象をカメラ装置２００側で解消することも可能となる。
【００５４】
上記実施形態では、アイリス制御の指令元をカメラ装置２００として説明したが、必ずしもカメラ装置とする必要はない。レンズ装置と通信されるアイリス制御の指令を生成する指令元であれば同様の効果を得ることが可能である。
【符号の説明】
【００５５】
１００  レンズ装置
１０１  通信部
１０３  アイリス補正機能設定部（制御部）
１０４  アイリス補正切替部（制御部、切替部）
１０５  アイリス駆動部（駆動部）
【図１】
2017120291.tif 000003
【図２】
2017120291.tif 000004
【図３】
2017120291.tif 000005